(57)【要約】【課題】単管を角形或いは円形に並べて連結する場合であっても隙間無く連結することができる単管連結具並びにバリケードを提供すること。【解決手段】取付対象物１に対して取付し得る取付部４に、単管２を連結する連結部３を複数設け、この複数の連結部３の少なくとも一つを取付部４に対して旋回自在に構成して、この旋回自在な連結部３に連結した単管２の取付部４に対する架設方向を変更自在に構成する。【選択図】        図１
2004285815.tif 000002
【特許請求の範囲】
【請求項１】
取付対象物に対して取付し得る取付部に、単管を連結する連結部を複数設け、この複数の連結部の少なくとも一つを取付部に対して旋回自在に構成して、この旋回自在な連結部に連結した単管の取付部に対する架設方向を変更自在に構成したことを特徴とする単管連結具。
【請求項２】
前記連結部は、この連結部の旋回方向に対して直交する方向に起伏回動し得るように構成したことを特徴とする請求項１記載の単管連結具。
【請求項３】
複数の前記連結部は、夫々が前記取付部に対して個別に旋回自在となる構成としたことを特徴とする請求項１，２のいずれか１項に記載の単管連結具。
【請求項４】
前記取付部に枢着軸を設け、この枢着軸に複数の旋回体を旋回自在に枢着し、この各旋回体に前記連結部を枢着することで夫々の連結部が取付部に対して個別に旋回自在となる構成としたことを特徴とする請求項１〜３のいずれか１項に記載の単管連結具。
【請求項５】
前記各旋回体に、前記枢着軸の軸方向に対し直交する軸方向の連結軸を設け、この各連結軸に前記連結部３を枢着連結することで夫々の連結部が旋回体の旋回方向と直交する方向に起伏回動し得るように構成したことを特徴とする請求項４記載の単管連結具。
【請求項６】
前記取付部は、前記取付対象物に対して締付固定し得るように構成したことを特徴とする請求項１〜５のいずれか１項に記載の単管連結具。
【請求項７】
前記取付部は、前記取付対象物としてのバリケード本体の上部若しくは下部に対して取付し得るように構成したことを特徴とする請求項１〜６のいずれか１項に記載の単管連結具。
【請求項８】
並設するバリケード本体間に単管を水平架設して構成するバリケードにおいて、前記単管を連結する連結部を複数設けた取付部を、前記バリケード本体の上部と下部とのいずれか一方若しくは双方に設け、この複数の連結部の少なくとも一つを取付部に対して水平旋回自在に構成したことを特徴とするバリケード。
【請求項９】
複数の前記連結部は、夫々が前記取付部に対して個別に水平旋回自在となる構成としたことを特徴とする請求項８記載のバリケード。
【請求項１０】
前記取付部に枢着軸を設け、この枢着軸に複数の前記連結部を枢着することで、この夫々の連結部が取付部に対して個別に水平旋回自在となるように構成したことを特徴とする請求項８，９のいずれか１項に記載のバリケード。
【発明の詳細な説明】
【０００１】
【発明の属する技術分野】
本発明は、例えば、単管を連結してバリケードなどを構築することができる単管連結具並びにバリケードに関するものである。
【０００２】
【従来の技術及び発明が解決しようとする課題】
従来から、例えば、略Ａ字形を呈する一対のバリケード本体間に単管を水平架設して成る単管バリケードが実施されており、この単管バリケードを複数並べることで囲いを形成し、工事現場などへの立ち入りを制限している。
【０００３】
しかし、この従来の単管バリケードは、直線状に並べて設置するのであれば、複数のバリケードを隙間無く並べて確実に囲いの内側への立ち入りを制限することができるのであるが、角形或いは円形の囲いを形成する場合は、複数のバリケードを単に並べただけではどうしてもバリケード本体の側面同士をぴったりと付けて並べることができない部位が生じるために、並設するバリケード間に人が立ち入り可能な隙間が生じてしまうという問題があった。
【０００４】
この点は、例えば、形成した囲いの角部に隣接配設している双方のバリケードの端部から単管を延長し、この双方の単管の延長部分をダブルクランプ（自在クランプ）などで連結することで解決できるが、あえて囲いの角部だけ単管を延長させてダブルクランプなどで連結作業を行うことは手間がかかるし、円形に囲う場合には、多くの箇所でこの連結作業が必要となるため、非常に煩わしい。
【０００５】
本発明は、このような問題点に鑑み、単管を角形或いは円形に並べて連結する場合であっても隙間無く連結することができる単管連結具並びにバリケードを提供するものである。
【０００６】
【課題を解決するための手段】
添付図面を参照して本発明の要旨を説明する。
【０００７】
取付対象物１に対して取付し得る取付部４に、単管２を連結する連結部３を複数設け、この複数の連結部３の少なくとも一つを取付部４に対して旋回自在に構成して、この旋回自在な連結部３に連結した単管２の取付部４に対する架設方向を変更自在に構成したことを特徴とする単管連結具に係るものである。
【０００８】
また、前記連結部３は、この連結部３の旋回方向に対して直交する方向に起伏回動し得るように構成したことを特徴とする請求項１記載の単管連結具に係るものである。
【０００９】
また、複数の前記連結部３は、夫々が前記取付部４に対して個別に旋回自在となる構成としたことを特徴とする請求項１，２のいずれか１項に記載の単管連結具に係るものである。
【００１０】
また、前記取付部４に枢着軸５を設け、この枢着軸５に複数の旋回体１３を旋回自在に枢着し、この各旋回体１３に前記連結部３を枢着することで夫々の連結部３が取付部４に対して個別に旋回自在となる構成としたことを特徴とする請求項１〜３のいずれか１項に記載の単管連結具に係るものである。
【００１１】
また、前記各旋回体１３に、前記枢着軸５の軸方向に対し直交する軸方向の連結軸１１を設け、この各連結軸１１に前記連結部３を枢着連結することで夫々の連結部３が旋回体１３の旋回方向と直交する方向に起伏回動し得るように構成したことを特徴とする請求項４記載の単管連結具に係るものである。
【００１２】
また、前記取付部４は、前記取付対象物１に対して締付固定し得るように構成したことを特徴とする請求項１〜５のいずれか１項に記載の単管連結具に係るものである。
【００１３】
また、前記取付部４は、前記取付対象物１としてのバリケード本体１Ａの上部若しくは下部に対して取付し得るように構成したことを特徴とする請求項１〜６のいずれか１項に記載の単管連結具に係るものである。
【００１４】
また、並設するバリケード本体１Ａ間に単管２を水平架設して構成するバリケードにおいて、前記単管２を連結する連結部３を複数設けた取付部４を、前記バリケード本体１Ａの上部と下部とのいずれか一方若しくは双方に設け、この複数の連結部３の少なくとも一つを取付部４に対して水平旋回自在に構成したことを特徴とするバリケードに係るものである。
【００１５】
また、複数の前記連結部３は、夫々が前記取付部４に対して個別に水平旋回自在となる構成としたことを特徴とする請求項８記載のバリケードに係るものである。
【００１６】
また、前記取付部４に枢着軸５を設け、この枢着軸５に複数の前記連結部３を枢着することで、この夫々の連結部３が取付部４に対して個別に水平旋回自在となるように構成したことを特徴とする請求項８，９のいずれか１項に記載のバリケードに係るものである。
【００１７】
【発明の実施の形態】
好適と考える本発明の実施の形態（発明をどのように実施するか）を、図面に基づいてその作用効果を示して簡単に説明する。
【００１８】
取付部４を介して本発明品を取付対象物１に取付することができ、間隔を置いて取付した本発明品の連結部３間に単管２を架設状態に連結することができる。
【００１９】
また、例えば、複数の連結部３のうちの二つを略対向方向に向けて夫々の連結部３に単管２を連結すれば、単管２を直線状に連結することができるし、連結部３を取付部４に対して旋回移動させれば、この旋回自在な連結部３に連結した単管２の取付部４に対する架設方向を自由に変更できるので、単管２を直角状や任意の角度で連結することができる。
【００２０】
従って、複数の連結部３に少なくとも二本の単管２を直線状でも任意の角度でも隙間無く連結することができるし、連結部３に単管２を連結できるために面倒なダブルクランプによる単管連結作業も要しないなど、極めて実用性に秀れた画期的な単管連結具となる。
【００２１】
更に具体的には、例えば、工事現場周辺に適宜な取付対象物１を設置するか、或いは工事現場周辺に設置されている設置物を取付対象物１とし、この取付対象物１に取付部４によって本発明品を多数間隔を置いて取付し、各本発明品の連結部３を適宜旋回させて各本発明品間に単管２を架設状態に連結することで単管２による囲い（バリケード）を形成することができる。
【００２２】
即ち、例えば、旋回自在な連結部３に連結した単管２を、この連結部３を旋回させることで他の連結部３に連結した単管２に対して略直角に配設したり、任意の角度に配設したりできるため、囲いを形成する際には、適所に角部や湾曲部を形成することが容易にできるし、この角部や湾曲部でも隣接する単管２間には隙間ができず、確実に囲いの内側への立ち入りを制限することができる。
【００２３】
また、取付部４を、支柱のような縦設する取付対象物１や斜設する取付対象物１に取付すれば、単管２を略水平状態にして連結できるだけでなく、連結部３を旋回させて垂直状態や傾斜状態にしての連結にも対応できる。従って、略水平な設置場所に対してだけでなく、斜面のような場所であっても対応して本発明品を取付できるし、例えば囲いを形成する場合には、傾斜した囲いや部分部分に高低差のある囲いなどを形成することもでき、隣接する単管２間に隙間のない様々な形の囲いを形成することが可能となる。
【００２４】
また、例えば、前記連結部３は、この連結部３の旋回方向に対して直交する方向に起伏回動し得るように構成すれば、連結部３に連結した単管２を自由に起伏回動させることができるため、一層様々な単管２の連結態様に対応でき、上記のように囲いを形成する場合には、一層様々な形の囲いを形成可能となり、しかも、例えば連結部３を取付部４に沿わせるように回動させることで、本連結具をコンパクトな状態にできるために収納や搬送にも便利となるなど、極めて実用的となる。
【００２５】
また、例えば、前記取付部４は、取付対象物１に対して締付固定し得るように構成すれば、本発明品を取付対象物に対して極めて簡易に取付できることとなり、一層実用的となる。
【００２６】
また、請求項８記載の発明の場合、バリケード本体１Ａの上部若しくは下部の複数の連結部３に単管２を連結することで、並設するバリケード本体１Ａ間に単管２を水平架設してバリケードを形成する。
【００２７】
また、例えば、複数の連結部３のうちの二つを略対向方向に向けたバリケード本体１Ａを、単管２を介して多数連結していくことで、単管２によって隙間なく連結された任意の長さのバリケードを形成することができる。
【００２８】
そして、例えば、このバリケードで工事現場を囲うことで、工事現場への立ち入りを制限することができる。
【００２９】
また、本発明では、複数の連結部３の少なくとも一つが取付部４に対して水平旋回自在であるから、この旋回自在な連結部３に連結した単管２のバリケード本体１Ａに対する架設方向を自由に変更することができる。
【００３０】
即ち、例えば、旋回自在な連結部３に連結した単管２を、この連結部３を旋回させることで他の連結部３に連結した単管２に対して略直角に配設したり、任意の角度に配設したりすることができるため、このようにしてバリケード（囲い）の適所に角部や湾曲部を形成することが容易にできるし、この角部や湾曲部でも隣接するバリケード本体１Ａ間には隙間なく単管２が架設連結されるために確実に囲いの内側への立ち入りを制限することができる。
【００３１】
従って、角形に囲う場合であっても円形に囲う場合であっても隙間なくバリケードで囲いを形成できるし、面倒なダブルクランプによる連結作業も要することがないなど、極めて実用性に秀れた画期的なバリケードとなる。
【００３２】
【実施例】
本発明の具体的な実施例について図面に基づいて説明する。
【００３３】
図１〜図４は第一実施例、図５〜図９は第二実施例を示している。
【００３４】
第一実施例について説明する。
【００３５】
本実施例は、取付対象物１に対して取付し得る取付部４に、単管２を連結する連結部３を複数設け、この複数の連結部３の少なくとも一つを取付部４に対して旋回自在に構成して、この旋回自在な連結部３に連結した単管２の取付部４に対する架設方向を変更自在に構成した単管連結具に係るものである。
【００３６】
具体的には、取付部４は、締付手段１４を備え、取付対象物１としての単管などの長尺杆体１Ｂに締付取付（固定）し得るように構成している。
【００３７】
更に詳しくは、図１に示すように取付部４は、金属製の帯板を略Ｕ字状に屈曲形成して成り、この遊離両端部間に杆体１Ｂを配設し得るように構成している。また、この取付部４の遊離両端部の先端間にボルト１４Ａを架設配設すると共に、このボルト１４Ａの先端部にナット１４Ｂを螺着して前記締付手段１４を構成している。
【００３８】
即ち、このボルト１４Ａ・ナット１４Ｂを締付回動することで、遊離両端部間が狭まって遊離両端部間に配設した杆体１Ｂに対し締付挟持固定でき、逆に、ボルト１４Ａ・ナット１４Ｂを緩めて取付部４から取り外せば、この取付部４を杆体１Ｂから取り外しできる前記締付手段１４に構成している。
【００３９】
従って、この締付手段１４を備えた取付部４は、簡易に設計実現可能な構成であり、しかも締付手段１４の締付・解除操作は単にボルト１４Ａをナット１４Ｂに対して回動させるだけで行えるため、操作性にも秀れる。
【００４０】
また、この取付部４の遊離両端部には、夫々の中程内面にストッパ凸部１２を一体的に切り出し突設し、この両側のストッパ凸部１２によって遊離両端部間の奥側（図１において上側となる取付部４の基端側）に配設した杆体１Ｂが遊離両端部の先端側に移動することが阻止され、杆体１Ｂはこのストッパ凸部１２より基端側で締付固定されるように構成している。
【００４１】
これにより杆体１Ｂが前記ボルト１４Ａに接触することが阻止されるから、ボルト１４Ａの締付・解除回動操作を抵抗なく容易に行うことができるし、杆体１Ｂが傷付くこともない。
【００４２】
また、この取付部４の基端部は平坦面に形成し、この平坦面に前記連結部３を複数設けている。
【００４３】
連結部３は、単管２が被嵌し得る径の円筒体により構成し、単にこの連結部３を単管２に差し込むだけで簡単に連結できる構成としている。
【００４４】
また、この連結部３は、先端をやや先細り形状に形成して、単管２に差し込み連結し易くしている。
【００４５】
この連結部３の取付部４（の平坦面）への取付構造を説明すると、平坦面の中心に枢着軸５としての軸ボルト５を貫通装着して平坦面より立設させ、この枢着軸５に複数の旋回体１３を旋回自在に枢着し、この各旋回体１３に前記連結部３を連結することで夫々の連結部３が取付部４に対して個別に旋回自在となる構成としている。
【００４６】
従って、この連結部３の取付部４への取付構造は、簡易に設計実現可能な構成である。
【００４７】
更に詳しくは、旋回体１３は、金属製の帯板を略Ｌ状に折曲形成して成り、中間の折曲部を境にした一側部１３Ａを前記枢着軸５に連結し、他側部に連結部３を連結する構成としている。従って、この旋回体１３も簡易に設計実現可能な構成である。
【００４８】
本実施例では、この旋回体１３を二体備える構成とし、夫々の一側部１３Ａには図示省略の貫通孔を形成し、夫々の一側部１３Ａを重合し貫通孔を位置合わせした上でこの合わせ貫通孔に前記枢着軸５を嵌挿し、この枢着軸５先端に、重合した一側部１３Ａの外側からナット８を螺着することで、図２に示すように二体の旋回体１３が夫々この枢着軸５を支点にして個別に旋回自在となる構成としている。
【００４９】
また、図１に示すようにこの各旋回体１３の他側部の両側縁には腕板部１３Ｂを一体的に延設し、この両側の腕板部１３Ｂを外側（一側部１３Ａの突出方向と反対側）に折曲して、この対向する腕板部１３Ｂ間に連結軸１１としての軸ボルト１１を架設配設してナット８止めしている。即ち、この連結軸１１は、前記枢着軸５の軸方向に対し直交する軸方向を向くようにして設けている。また、連結部３の基端部の対向面には、この連結軸１１が嵌挿し得る図示省略の挿通孔を形成し、この挿通孔を介して連結軸１１に連結部３を枢着連結することで、図３に示すように夫々の連結部３がこの連結部３の旋回方向と直交する方向に起伏回動し得るように構成している。
【００５０】
従って、この起伏回動可能な連結部３の構造は、簡易に設計実現可能な構成である。
【００５１】
よって、本実施例の各部の構成は、いずれも簡易に設計実現可能であるため、本実施例の単管連結具は簡易に設計実現可能な構成であり、量産性に秀れ安価な製品を提供可能である。
【００５２】
次に、具体的な使用方法を説明する。
【００５３】
例えば、工事現場にバリケード（囲い）を構築する場合を説明する。
【００５４】
予め、工事現場周辺に、例えば単管などを組んで構成した取付対象物１を複数設置しておく。
【００５５】
この取付対象物１の単管（杆体１Ｂ）に取付部４を介して本連結具を締付固定するが、この取付部４は、水平に横設配設された杆体１Ｂは勿論、図４に示すように、垂直に縦設配設された杆体１Ｂ（単管支柱）にも締付固定することができる。このようにして取付対象物１に取付した各本連結具の連結部３を適宜旋回させて各本連結具間に単管２を架設状態に連結することで単管２による囲い（バリケード）を形成することができる。
【００５６】
この際、例えば、旋回自在な連結部３に連結した単管２を、この連結部３を旋回させることで他の連結部３に連結した単管２に対して略直角に配設したり、任意の角度に配設したりできるため、適所に角部や湾曲部を形成することが容易にできるし、この角部や湾曲部でも隣接する単管２間には隙間ができず、確実に囲いの内側への立ち入りを制限することができることになる。
【００５７】
また、取付部４は、支柱のような縦設する取付対象物１や斜設する取付対象物１に取付（固定）することもできるため、略水平な設置場所に対してだけでなく、斜面のような場所にも対応して連結部３に単管２を連結することができ、しかも、前記連結部３は、この連結部３の旋回方向に対して直交する方向に起伏回動し得る（例えば、連結部３に対して連結した単管２が水平方向に旋回し得るように取付部４を取付対象物１に対して取付した場合には、連結部３に連結した単管２を上下方向にも自由に起伏回動させることができる）ため、様々な単管２の連結態様に対応でき、場所を選ばず、様々な形の囲いを形成可能となる。
【００５８】
尚、不使用時には、各連結部３を回動して取付部４に沿わせることで本連結具をコンパクトな状態にでき、収納や搬送にも便利となる。
【００５９】
第二実施例について説明する。
【００６０】
本実施例は、取付対象物１としてのバリケード本体１Ａの上部に取付部４を設け、この取付部４に単管２を連結する連結部３を複数設けたバリケードに係るものである。
【００６１】
具体的に説明すると、バリケード本体１Ａは、図５，図６に示すような略Ａ字型を呈するタイプを採用している。
【００６２】
また、このバリケード本体１Ａの上部（頂部）には取付筒部６を立設状態にして一体的に設け、この取付筒部６に前記取付部４を嵌挿して取付する構成としている。
【００６３】
取付部４は、図７に示すように前記取付筒部６に嵌挿し得る径の円筒体により構成している。また、この円筒状の取付部４は、上端部に天板部を有する構成とし、この天板部上に二体の前記連結部３を水平旋回自在に設けている。
【００６４】
また、連結部３について説明すると、単管２が被嵌し得る径の円筒体により構成し、単にこの連結部３を単管２に差し込むだけで簡単に連結できる構成としている。
【００６５】
また、この連結部３は、先端をやや先細り形状に形成して、単管２に差し込み連結し易くしている。
【００６６】
この連結部３の取付部４への取付構造を説明すると、二体の各連結部３の基端部にＬ形の旋回体１３を一体的に設け、図７に示すようにこの各旋回体１３の一側部１３Ａを下にして二枚重ね合わせ、この重ね合わせた二枚の一側部１３Ａの夫々に軸受孔を設けると共に取付部４の天板部にボルト孔を設け、この各軸受孔並びにボルト孔に枢着軸５としての軸ボルト５を貫通し、この枢着軸５をナット８にて取付部４に固定することで取付部４の天板上に二体の取付部３を設けた構造としている。図中符号９はスプリングワッシャである。
【００６７】
また、この二体の連結部３は、図８に示すように枢着軸５を支点に夫々が個別に取付部４に対し３６０度水平方向に旋回可能となるように設けている。
【００６８】
また、本実施例では、取付部４に二体の連結部３を設けた構造のもの（図７に示す形態）を、単体でバリケード用単管連結具Ａとし、このバリケード用単管連結具Ａをバリケード本体１Ａの上部に着脱自在に取付固定できるように設けている。
【００６９】
具体的に説明すると、前記取付筒部６と取付部４とには、取付筒部６に前記取付部４を嵌挿した際に連通状態となる合わせ孔１０（図面では取付部４の合わせ孔１０のみ図示している）を設け、この合わせ孔１０にボルト７を貫通してナット８止めすることで、バリケード用単管連結具Ａをバリケード本体１Ａに簡単に取付固定でき、このボルト７・ナット８を緩めて合わせ孔１０からボルト７を外すことで、バリケード本体１Ａからバリケード用単管連結具Ａを簡単に取り外しできるようにしている。
【００７０】
従って、販売に際してはバリケード本体１Ａとバリケード用単管連結具Ａとを別々に販売することもできる構成とし、これにより必要な数のバリケード本体１Ａとバリケード用単管連結具Ａとをユーザーが買い求めることができるようにしている。
【００７１】
次に、具体的な使用方法を説明する。
【００７２】
バリケード本体１Ａ上部の二体の連結部３に単管２を連結することで、並設するバリケード本体１Ａ間に単管２を水平架設し、この単管２を介して複数のバリケード本体１Ａが並設するバリケードを形成することができる。
【００７３】
例えば、複数の連結部３のうちの二つを略対向方向に向けたバリケード本体１Ａを、単管２を介して多数連結していくことで、単管２によって隙間なく連結された任意の長さの直線状のバリケードを形成することができる。
【００７４】
また、二体の連結部３の双方が個別に取付部４に対して水平旋回自在であるから、この旋回自在な連結部３に連結した単管２のバリケード本体１Ａに対する架設方向を自由に変更することができる。
【００７５】
即ち、例えば、図９に示すように、角形の囲いを形成する場合、角部に配設するバリケード本体１Ａの連結部３を、一方に対して他方を略９０度旋回させて単管２を連結することで、この角部に隙間なく単管２を水平架設することができる。
【００７６】
同様にして、円形の囲いを形成する場合、各バリケード本体１Ａの連結部３を適宜な角度に旋回させて単管２を連結することで、容易に隙間のない円形の囲いを形成することができる。
【００７７】
従って、角形に囲う場合であっても円形に囲う場合であっても連結部３を旋回させることで隙間なくバリケードで囲いを形成できるし、面倒なダブルクランプによる連結作業も要することがない。
【００７８】
尚、本実施例において、例えば、取付部４を既存のバリケード本体１Ａの上部若しくは下部（下部の桟杆）に固定できる構造のものに変更しても良く、このような構成とすることで、バリケード用単管連結具Ａを取付筒部６のない既存のバリケード本体に対しても適用可能となるために、このバリケード用単管連結具Ａだけを販売することも可能となり、しかも、バリケード本体１Ａの下部間にも単管２を水平架設できることになるため、バリケードをより強固なものとすることができるなどの利点が生じることとなる。
【００７９】
尚、本発明は、本実施例（第一・第二実施例）に限られるものではなく、各構成要件の具体的構成は適宜設計し得るものである。
【００８０】
また、本実施例（第一・第二実施例）の連結部３は、単管２に単に差し込み連結する構成とした場合を示したが、この連結構造に限定するものではなく、例えば差し込み連結した単管２と連結部３とを抜け止め状態にピン止めできるような構成としても良いし、クランプを連結部３として採用して単管２を抱持連結する構成としても良い。
【００８１】
【発明の効果】
本発明は上述のように構成したから、複数の連結部に単管を連結できるし、直線状でも任意の角度でも隙間無く単管を連結することができ、しかも、例えば囲いを形成する場合には、略水平な設置場所に対してだけでなく、斜面のような場所にも形成できるし、傾斜した囲いや部分部分に高低差のある囲いなどを形成することもでき、隣接する単管間に隙間のない様々な形の囲いを形成することが可能となるなど、極めて実用性に秀れた画期的な単管連結具となる。
【００８２】
また、請求項２記載の発明においては、一層様々な単管の連結態様に対応でき、上記のように囲いを形成する場合には、一層様々な形の囲いを形成可能となり、しかも、例えば連結部を取付部に沿わせるように回動させることで、本連結具をコンパクトな状態にできるために収納や搬送にも便利となるなど、極めて実用性に秀れた構成の単管連結具となる。
【００８３】
また、請求項３記載の発明においては、複数の連結部に連結した単管の向きを個別に自由に旋回させて変更できるため、様々な状況に的確に対応して隙間無く単管を連結することができる一層実用性に秀れた構成の単管連結具となる。
【００８４】
また、請求項４記載の発明においては、複数の連結部が個別に水平旋回自在となる構成を簡易に設計実現可能となる一層実用性に秀れた構成の単管連結具となる。
【００８５】
また、請求項５記載の発明においては、連結部がこの連結部の旋回方向と直交する方向に起伏回動可能となる構成を簡易に設計実現可能となる一層実用性に秀れた構成の単管連結具となる。
【００８６】
また、請求項６記載の発明においては、本発明品を取付対象物に対して極めて容易に取付できる一層実用性に秀れた構成の単管連結具となる。
【００８７】
また、請求項７記載の発明においては、バリケード本体に取付ることで、単管を角形にも円形にも隙間無く連結できる単管バリケードを構成できる極めて実用性に秀れた単管連結具となる。
【００８８】
請求項８記載の発明においては、上述のように構成したから、角形に囲う場合であっても円形に囲う場合であっても連結部を水平旋回させることで隙間なくバリケードで囲いを形成できるし、面倒なダブルクランプによる連結作業も要することがないなど、極めて実用性に秀れた画期的なバリケードとなる。
【００８９】
また、請求項９記載の発明においては、複数の連結部に連結した単管の向きを個別に自由に変更できるため、様々な状況に的確に対応して確実に隙間のない囲いを形成することができる一層実用性に秀れた構成のバリケードとなる。
【００９０】
また、請求項１０記載の発明においては、複数の連結部が個別に水平旋回自在となる構成を簡易に設計実現可能となる一層実用性に秀れた構成のバリケードとなる。
【図面の簡単な説明】
【図１】第一実施例を示す斜視図である。
【図２】第一実施例の連結部の旋回作動を示す説明平面図である。
【図３】第一実施例の連結部の起伏作動を示す説明側面図である。
【図４】第一実施例の支柱（取付対象物）に対して取付けた使用状態を示す説明斜視図である。
【図５】第二実施例を示す斜視図である。
【図６】第二実施例を示す正面図である。
【図７】第二実施例のバリケード用単管連結具を示す一部切欠正面図である。
【図８】第二実施例の連結具の作動を示す説明平面図である。
【図９】第二実施例の使用状態を示す説明図である。
【符号の説明】
１  取付対象物
１Ａ  バリケード本体
２  単管
３  連結部
４  取付部
５  枢着軸
１１  連結軸
１３  旋回体
【図１】
2004285815.tif 000003
【図２】
2004285815.tif 000004
【図３】
2004285815.tif 000005
【図４】
2004285815.tif 000006
【図５】
2004285815.tif 000007
【図６】
2004285815.tif 000008
【図７】
2004285815.tif 000009
【図８】
2004285815.tif 000010
【図９】
2004285815.tif 000011